(57)【要約】【課題】ステンレス製を含めたビスや皿小ネジに於けるドライバーからの外れや落下を確実に防止して、不便さや煩わしさを解消し、締付作業性を向上させると共に、簡単に操作が出来るビス締付用補助部材を提供する。【解決手段】ゴム或いはプラスチック製の筒状体の一方側を上方保持部２とし、他方側を下方保持部３として、該下方保持部２と前記上方保持部３のいずれか一方の内径部をドライバー先端部に嵌着可能とし、いずれか他方の内径部をビス或いは皿小ネジに嵌着可能とする。【選択図】図２
2007276094.tif 000002
【特許請求の範囲】
【請求項１】
ゴム或いはプラスチック製の筒状体の一方側を上方保持部とし、他方側を下方保持部として、該下方保持部と前記上方保持部のいずれか一方の内径部をドライバー先端部に嵌着可能とし、いずれか他方の内径部をビス或いは皿小ネジに嵌着可能としたことを特徴とするビス締付用補助部材。
【請求項２】
上方保持部或いは下方保持部のいずれか一方の適所に、空気抜き小孔を形成したことを特徴とする請求項１記載のビス締付用補助部材。
【請求項３】
上方保持部と下方保持部の中心線をズラして偏心させたことを特徴とする請求項１乃至請求項２記載のビス締付用補助部材。
【請求項４】
上方保持部と下方保持部それぞれを、前記上方保持部と下方保持部に於ける境界部分を基点として、開放方向に向けて、径を小さくして形成したことを特徴とする請求項１乃至請求項３記載のビス締付用補助部材。
【請求項５】
上方保持部の内径部に突条部を形成すると共に下方保持部の内径部にも突条部を形成したことを特徴とする請求項１乃至請求項４記載のビス締付用補助部材。
【請求項６】
上方保持部の内径部と下方保持部の内径部を仕切部でもって区分けしたことを特徴とする請求項１乃至請求項５記載のビス締付用補助部材。
【請求項７】
上方保持部と下方保持部のいずれか一方を多角形状の筒状体とし、多角形状の筒状体とした保持部の内径部にドライバー先端部を嵌着させるようにしたことを特徴とする請求項１乃至請求項６記載のビス締付用補助部材。
【発明の詳細な説明】
【技術分野】
【０００１】  本発明は、ビスや皿小ネジ等をドライバーを用いて締め付ける場合に使用するビス締付用補助部材に関するものである。
【背景技術】
【０００２】  ビスや皿小ネジ等を用いて所定の部材を取付け固定する場合、ドライバー先端をビスや皿小ネジの頭部に形成された十字溝やマイナス溝にあてがい、押圧しながらドライバーを回転させるのが、極めて一般的な方法である。然し、ビスや皿小ネジの頭部に形成された十字溝やマイナス溝は浅く、その為、締付作業に当たっては、ビスや皿小ネジを手で押えてドライバー先端を十字溝やマイナス溝にあてがわなくてはならない不便さがあるし、更に締付作業をする所定の位置まで移動する間に、ビスや皿小ネジがドライバーから外れてしまったりすることもある。特に高い所で作業する時にはビスや皿小ネジが落下してしまうことになり、不便であることは勿論、非常に煩わしいものである。【０００３】  この様な不便さ、煩わしさを解消するものとして、従来より、磁力を持たせたドライバーが利用されている。ドライバー先端が磁石となっているので、十字溝やマイナス溝にあてがうことで、ビスや皿小ネジはドライバー先端に吸着され、これによって、外れてしまったり、落下することは少なくなるのである。
【発明の開示】
【発明が解決しようとする課題】
【０００４】  然しながら、磁力を持たせたドライバーでは、磁力より大きな外力が掛かればビスや皿小ネジは簡単に外れてしまうし、又当然のこととして、効力の及ぶのは鉄製のビスや皿小ネジであって、近年需要が増加しているステンレス製のビスや皿小ネジに於いては、磁石（磁力）が効かないこともあり、全く効果は無い。【０００５】  本発明は、こうした従来技術の問題点に鑑み、ステンレス製を含めたビスや皿小ネジに於けるドライバーからの外れや落下を確実に防止して、不便さや煩わしさを解消し、締付作業性を向上させると共に、簡単に操作が出来るビス締付用補助部材を提供することを目的としている。
【課題を解決するための手段】
【０００６】  上記目的を達成するために、請求項１記載の発明は、ゴム或いはプラスチック製の筒状体の一方側を上方保持部とし、他方側を下方保持部として、該下方保持部と前記上方保持部のいずれか一方の内径部をドライバー先端部に嵌着可能とし、いずれか他方の内径部をビス或いは皿小ネジに嵌着可能としたものである。この様に構成したことにより、ドライバー先端部或いはビスや皿小ネジが上方保持部又は下方保持部の内径部に嵌着することで得られる接触抵抗により、前記ビスや皿小ネジのドライバーからの外れや落下を確実に防止することが可能となって、不便さや煩わしさが解消されるばかりでなく、簡単な取扱い操作でもって、締付作業性を向上させることが出来る。【０００７】  請求項２記載の発明は、上方保持部或いは下方保持部のいずれか一方の適所に、空気抜き小孔を形成したものである。この様に構成したことにより、ドライバーそしてビスや皿小ネジを挿入嵌着した時に発生する内径部内の圧縮空気を外部に逃がすことが出来ることから、嵌着したビスや皿小ネジの圧縮空気による外れ（飛び出し）を防止することが出来る。【０００８】  請求項３記載の発明は、上方保持部と下方保持部の中心線をズラして偏心させたものである。この様に構成したことにより、ドライバーとビスや皿小ネジを嵌着させた時にドライバー先端部とビスや皿小ネジの十字溝やマイナス溝との位置がずれて、ビスや皿小ネジは偏った力を受けることから、接触抵抗が増大し、ビスや皿小ネジの嵌着度合をより向上させることが出来る。【０００９】  請求項４記載の発明は、上方保持部と下方保持部それぞれを、前記上方保持部と下方保持部に於ける境界部分を基点として、開放方向に向けて、径を小さくして形成したものである。この様に構成したことにより、上方保持部の内径部とドライバー先端部そして下方保持部の内径部とビスや皿小ネジに於ける接触抵抗が増大することから、上方保持部の内径部へのドライバー先端部の嵌着並びにビスや皿小ネジの下方保持部への嵌着をより確実なものとすることが出来る。【００１０】  請求項５記載の発明は、上方保持部の内径部に突条部を形成すると共に下方保持部の内径部にも突条部を形成したものである。この様に構成したことにより、上方保持部の内径部にドライバーが嵌着した時、突条部による凹凸面により、接触抵抗が増大し、そして下方保持部の内径部にビスや皿小ネジが嵌着した時には、該ビスや皿小ネジの頭部が突条部に係止されることから、それぞれの嵌着度合をより向上させることが出来る。【００１１】  請求項６記載の発明は、上方保持部の内径部と下方保持部の内径部を仕切部でもって区分けしたものである。この様に構成したことにより、上方保持部と下方保持部に於ける境界部の剛性がアップし、それに伴い、肉厚を変えることなく、上方保持部と下方保持部の剛性をも向上させることから、ドライバーそしてビスや皿小ネジとの嵌着をより確実なものとすることが出来る。【００１２】  請求項７記載の発明は、上方保持部と下方保持部のいずれか一方を多角形状の筒状体とし、多角形状の筒状体とした保持部の内径部にドライバー先端部を嵌着させるようにしたものである。この様に構成したことにより、ドライバー先端部を���着した時、辺の部分が膨らみ、その膨らみの許容範囲内で、内径の大きさに自由度を持たせられることから、ドライバー先端部の外形の大きさが異なるものであっても、共用させることが出来る。
【発明の効果】
【００１３】  本発明は、以上説明したように構成されているので、下記に説明するような効果を相する。【００１４】  請求項１記載のビス締付用補助部材に於いては、ゴム或いはプラスチック製の筒状体の一方側を上方保持部とし、他方側を下方保持部として、該下方保持部と前記上方保持部のいずれか一方の内径部をドライバー先端部に嵌着可能とし、いずれか他方の内径部をビス或いは皿小ネジに嵌着可能としたので、ビスや皿小ネジのドライバーからの外れや落下を確実に防止することが可能となって、不便さや煩わしさが解消されるばかりでなく、簡単な取扱い操作でもって、締付作業性を向上させることが出来る。【００１５】  請求項２記載のビス締付用補助部材に於いては、上方保持部或いは下方保持部のいずれか一方の適所に、空気抜き小孔を形成したので、嵌着したビスや皿小ネジの圧縮空気による外れ（飛び出し）を防止することが出来る。【００１６】  請求項３記載のビス締付用補助部材に於いては、上方保持部と下方保持部の中心線をズラして偏心させたので、ビスや皿小ネジに偏った力がかかり、接触抵抗が増大し、ビスや皿小ネジの嵌着度合をより向上させることが出来る。【００１７】  請求項４記載のビス締付用補助部材に於いては、上方保持部と下方保持部それぞれを、前記上方保持部と下方保持部に於ける境界部分を基点として、開放方向に向けて、径を小さくして形成したので、上方保持部の内径部へのドライバー先端部の嵌着並びにビスや皿小ネジの下方保持部への嵌着をより確実なものとすることが出来る。【００１８】  請求項５記載のビス締付用補助部材に於いては、上方保持部の内径部に突条部を形成すると共に下方保持部の内径部にも突条部を形成したので、上方保持部の内径部へのドライバー先端部の嵌着並びにビスや皿小ネジの下方保持部への嵌着度合をより向上させることが出来る。【００１９】  請求項６記載のビス締付用補助部材に於いては、上方保持部の内径部と下方保持部の内径部を仕切部でもって区分けしたので、上方保持部と下方保持部に対するドライバーそしてビスや皿小ネジの嵌着をより確実なものとすることが出来る。【００２０】  請求項７記載のビス締付用補助部材に於いては、上方保持部と下方保持部のいずれか一方を多角形状の筒状体とし、多角形状の筒状体とした保持部の内径部にドライノバー先端部を嵌着させるようにしたので、ドライバー先端部の外形の大きさが異なるものであっても、共用させることが出来る。
【発明を実施するための最良の形態】
【００２１】  以下、本発明の実施の形態を図面に基づき詳細に説明する。図１は本発明によるビス締付用補助部材の一実施形態を示す正面図、図２は図１のＡ−Ａ断面図、図３は本発明によるビス締付用補助部材の他の実施形態を示し、図１に於けるＡ−Ａ断面に相当する断面図であって、（ａ）は上下両保持部の中心線が偏心しているもの、（ｂ）は上下両保持部の開放側の径が小さくなるよう傾斜状としたものであり、（ｃ）は上下両保持部の内径部に半円形の突条部を有したもの、（ｄ）は上下両保持部の間に仕切部を設けたもの、そして（ｅ）は上下両保持部の内径部に先端が鋭角状の突条部を有したものであり、図４は図１のＸ矢視図、図５は図１のＹ矢視図、図６は本発明によるビス締付用補助部材の更に他の実施形態を示し、図１に於けるＸ矢視図に相当する説明図で、（ａ）は上方保持部を四角状の筒状体としたもの、（ｂ）は上方保持部を三角状の筒状体、（ｃ）は同じく上方保持部を星型状の筒状体としたもので、図７は本発明によるビス締付用補助部材の使用方法の説明図である。【００２２】  それでは、図１及び図２を用いて本発明によるビス締付用補助部材の基本的な構成を説明する。１は円筒状に形成された上方保持部２と同じく円筒状に形成された下方保持部３とを一体的に有したビス締付用補助部材であって、ゴムやプラスチックで成形されていて、上方保持部２の内径部４にはドライバーの先端部が嵌着し、下方保持部３の内径部５にはビスや皿小ネジの頭部が嵌着するようになっている。そして嵌着に当たっては、ドライバーの先端部の外形より上方保持部２の内径部４の内径を僅かに小さく、下方保持部３の内径部５の内径をビスや皿小ネジの頭部の径より僅かに小さくしてあり、ビス締付用補助部材１との接触抵抗を加味して、良好な嵌着がなされるよう考慮されている。６は上方保持部２と下方保持部３の内径が異なる場合に生じる段部（境界部分に相当）であるが、上方保持部２と下方保持部３の内径を必ずしも相異させる必要は無く、従って、内径が同じである時は、段部６が無くなるのは当然のことである。７はドライバーそしてビスや皿小ネジを挿入嵌着した時に発生する内径部内の圧縮空気を外部に逃がすための空気抜き小孔であって、その個数は、１個若しくは２個程度で良い。尚、空気抜き小孔７形成部位は、上方保持部２と下方保持部３との境界部分近傍が良好であり、且つ上方保持部２と下方保持部３のいずれか一方のみで良いが、場合によっては両方に形成しても良いので、付言して置く。【００２３】  本発明によるビス締付用補助部材１の実施形態として、上方保持部２と下方保持部３の内径を相異させたものを取り上げていて、図１及び図２で明らかであるが、前述したように必ず相異させなければならないということではなく、更に内径ばかりでなく、高さ等変更可能であるので、図２を参照しながら説明を加えることにする。【００２４】  上方保持部２の内径部４と下方保持部３の内径部５に於ける内径は、それぞれＭとＮで示し、高さ（深さ）はＨ１，Ｈ２そして筒状部分の肉厚はＴ１，Ｔ２として表している。当たり前のことであるが、ビスや皿小ネジには、沢山の種類があり、必然的にビス締付用補助部材１は、それに対応させることが可能で���ければならない。そこで、大小のドライバーそして大小のビスや皿小ネジに対応させるために、内径Ｍ及びＮ、高さＨ１，Ｈ２と肉厚Ｔ１、Ｔ２を変化させることになるが、その変化の内容は、単に大きさ（寸度）ばかりでなく、使用する材料（ゴム、プラスチック等）をどれにするか、また材料の硬度をどの程度にするか等検討を要し、これら仕様は設計段階で設定することになる。尚、参考のために申し添えれば、ゴムやプラスチックを材料とした場合の標準的な硬度は、合成ゴム相当で、ＮＢＲ６５°±５°程度が適当である。勿論この硬度に限定する必要は無く、ケースバイケースで設定しなければならないのは、云うまでもない。又、材料としては、通常のゴムヤプラスチックの他、発泡ゴムも使用可能で、時によっては、金属性であっても良い。更に、図面に示した実施形態に於いては、上方保持部２の内径が下方保持部３の内径より大きくなっていて、上方保持部２にはドライバーの先端部を嵌着させ、下方保持部３にはビスや皿小ネジの頭部を嵌着させると説明したが、逆であっても何等差し支えない。即ち、上方保持部２の内径より下方保持部３の内径を大きくしても良く、上方保持部２にビスや皿小ネジの頭部を嵌着させ、下方保持部３にドライバーの先端部を嵌着させても良いのであって、必要なことは、ビス締付用補助部材１の一方側にドライバー先端部が、他方側にビスや皿小ネジの頭部が嵌着し、締付作業が効果的に行われることである。【００２５】  次に、図３に示す他の実施形態について説明する。本実施形態は、図２で説明した構成を基本とするものであって、図３（ａ）によるビス締付用補助部材１１は、円筒状の上方保持部１２と同じく円筒状の下方保持部１３が段部１６を介して一体的に形成されている。上方保持部１２の内径部１４にはドライバーの先端が、下方保持部１３の内径部１５にはビスや皿小ネジの頭部が嵌着するようになっているのは、図２による構成と同様である。Ｓは上方保持部１２と下方保持部１３それぞれの中心線のズレ、即ち偏心量を表すものであり、この点に於いて、その構成を異にしている。上方保持部１２と下方保持部１３の中心を偏心させることで、ドライバーとビスや皿小ネジを嵌着させた時にドライバー先端部とビスや皿小ネジの十字溝やマイナス溝の位置がずれることにより、ビスや皿小ネジは偏った力を受け、これにより、ビスや皿小ネジの下方保持部１３への嵌着度合がより向上することになる。【００２６】  図３（ｂ）によるビス締付用補助部材２１は、上方保持部２２と下方保持部２３それぞれを段部２６の部分を基点として、開放方向に向けて、径を小さくして形成されており、上部保持部２２の傾斜角θ１及び下方保持部２３の傾斜角θ２は、勿論変更可能である。上方保持部２２と下方保持部２３それぞれの開放側の径を小さくしたので、ドライバー先端部への嵌着並びにビスや皿小ネジの下方保持部２３への嵌着をより確実なものとすることが出来るのである。【００２７】  図３（ｃ）によるビス締付用補助部材３１は、上部保持部３２の内径部３４に複数の半円形の突条部３８を形成し、下方保持部３３の内径部３５に１つの半円形の突条部３９を形成したものである。突条部３８による凹凸により、ドライバー先端部嵌着時の接触抵抗が大きくなり、突条部３９により、ビスや皿小ネジの頭部（鍔状部分）が係止状態となって、それぞれの嵌着度合がより向上することになる。尚、突条部３８の数は、本実施形態に限定されるものではなく、変更可能であり、突条部３９についても１つでなく、２つとしても良いので、念のため付言して置く。【００２８】  図３（ｄ）によるビス締付用補助部材４１は、上方保持部４２の内径部４４と下方保持部４３の内径部４５を仕切部４９でもって区分けしたものである。この構成は、単に区分けしたのではなく、上方保持部４２と下方保持部４３の境界部の剛性を持たせ、それに伴い、肉厚を変えることなく、上方保持部４２及び下方保持部４３全体の剛性をも向上させて、ドライバーそしてビスや皿小ネジとの嵌着をより確実なものとしたものである。【００２９】  図３（ｅ）によるビス締付用補助部材５１は、図３（ｃ）に示すビス締付用補助部材３１と基本的に殆ど同じであり、異なっている所は、上方保持部５２の内径部５４に形成した突条部５８と下方保持部５３の内径部５５に形成した突条部５９が、前記ビス締付用補助部材３１に於ける半円形の突条部ではなく、先端を鋭角状（角状）の突条部とした点である。突条部５８及び突条部５９が鋭角状となっていることから、ドライバー先端部嵌着時の接触抵抗が更に大きくなり、そしてビスや皿小ネジの頭部（鍔状部分）の前記突条部５９への係止が確実になって、それぞれの嵌着度合が更に向上することになる。【００３０】  図３に示す他の実施形態は、それぞれ前述した構成を有するものであるが、図３（ａ）に於ける１７、（ｂ）に於ける２７、（ｃ）に於ける３７、（ｄ）に於ける４７と４８、（ｅ）に於ける５７は、ドライバーそしてビスや皿小ネジを挿入嵌着した時に発生する内径部内の圧縮空気を外部に逃がすための空気抜き小孔である。【００３１】  図４は図１のＸ矢視図で、内径部４を有する円筒状の上方保持部２が明確に示されており、既に説明したように、下側には内径部５を有する下方保持部が一体的に形成されているのは云うまでもない。図５は図１のＹ矢視図であって、内径部５を有する円筒状の下方保持部３が示されている。【００３２】  それでは続いて、図６を参照しながら、更に他の実施形態について説明する。図６に示す実施形態は、上方保持部のみを変更したものであるので、下方保持部等既に説明した同じ構成の部分に付いては説明を省略することにする。図６（ａ）は、上方保持部１０２を断面四角の筒状体としたビス締付用補助部材１０１を示し、上方保持部１０２の内面は、内径部１０４となっている。図６（ｂ）に示すのは、内径部２０４を有し、断面三角の筒状体として形成された上方保持部２０２を有するビス締付用補助部材２０１であり、図６（ｃ）では、内径部３０４を有した断面星型の筒状体として形成された上方保持部３０２を持つビス締付用補助部材３０１が示されている。本実施形態は、上方保持部を円筒状でなく、四角状、三角状そして星型状（総称すると多角形状）としたので、ドライバー先端部を嵌着する時、例えば四角の辺の部分が膨らみ、その膨らみの許容範囲内で、円筒状の場合より内径の大きさに自由度を持たせることが出来ることになり、ドライバー先端��の外形が異なるものであっても、共用することが可能となるのである。又、本実施形態に於いては、空気抜き小孔についての説明を省略したが、図２そして図３に於ける実施形態同様形成されているのは勿論である。然し、保持部が円筒状でなく、多角形の筒状体である場合は、ドライバー先端部やビス等を挿入、嵌着してもコーナー部分より、空気が逃げるので、保持部に於ける内径部内の空気が圧縮されることは、少ないので、空気抜き小孔は、必ず必要というものではない。【００３３】  尚、前述した実施形態即ち図２や図３そして図６に示した実施形態は、個々に利用されるばかりではなく、互いに利用され得るものである。例えば、図３（ａ）の構成に図３（ｃ）に於ける突条部３８を加えること、或いは図３（ｄ）の上方保持部４２を図６（ａ）の上方保持部１０２に変更した構成とすること等である。従って、本発明によるビス締付用補助部材は、非常に多くのバリエーションを採用することが出来るので、念のため付言して置くこととする。【００３４】  引き続き、図７を参照しながら、本発明によるビス締付用補助部材の使用方法を説明する。まず最初にドライバー８の先端部をビス締付用補助部材１に於ける上方保持部に嵌着させる。これによって、ビス締付用補助部材１はドライバー８先端部にセットされ、そして後、ビス締付用補助部材１の下方保持部にビス或いは皿小ネジを嵌着させる。ビス或いは皿小ネジは、ビス締付用補助部材１を介して、ドライバー８に適切にセットされることになり、ドライバー８による締付作業が可能となる。
【図面の簡単な説明】
【００３５】
【図１】本発明によるビス締付用補助部材の一実施形態を示す正面図である。
【図２】図１のＡ−Ａ断面図である。
【図３】本発明によるビス締付用補助部材の他の実施形態を示し、図１に於けるＡ−Ａ断面に相当する断面図であって、（ａ）は上下両保持部の中心線が偏心しているもの、（ｂ）は上下両保持部の開放側の径が小さくなるよう傾斜状としたものであり、（ｃ）は上下両保持部の内径部に半円形の突条部を有したもの、（ｄ）は上下両保持部の間に仕切部を設けたもの、そして（ｅ）は上下両保持部の内径部に先端が鋭角状の突条部を有したものである。
【図４】図１のＸ矢視図である。
【図５】図１のＹ矢視図である。
【図６】本発明によるビス締付用補助部材の更に他の実施形態を示し、図１に於けるＸ矢視図に相当する説明図で、（ａ）は上方保持部を四角状の筒状体としたもの、（ｂ）は上方保持部を三角状の筒状体、（ｃ）は同じく上方保持部を星型状の筒状体としたものである。
【図７】本発明によるビス締付用補助部材の使用方法の説明図である。
【符号の説明】
【００３６】１、１１，２１，３１，４１，５１，１０１，２０１，３０１  ビス締付用補助部材
２，１２，２２，３２，４２，５２，１０２、２０２、３０２  上方保持部
３，１３，２３，３３，４３，５３  下方保持部
４，１４，２４，３４，４４，５４，１０４，２０４，３０４  内径部
５，１５，２５，３５，４５，５５，１０５，２０５，３０５  内径部
６、１６，２６，３６，５６  段部
７、１７，２７，３７，４７，５７  空気抜き小孔
８  ドライバー
９  ビス
３７，３８  突条部
４８  空気抜き小孔
４９  仕切部
５８，５９  突条部
Ｍ、Ｎ  内径
Ｈ１，Ｈ２  高さ
Ｔ１，Ｔ２  肉厚
Ｓ  偏心量
θ１、θ２  傾斜角
【図１】
2007276094.tif 000003
【図２】
2007276094.tif 000004
【図３】
2007276094.tif 000005
【図４】
2007276094.tif 000006
【図５】
2007276094.tif 000007
【図６】
2007276094.tif 000008
【図７】
2007276094.tif 000009